(57)【要約】【課題】噴霧する薬剤の効果を維持することができる薬剤揮散装置を提供する。【解決手段】ケーシング１１後面１２の吸気穴１３と前面１４の送出穴１５との間に筒部１６を設ける。後面１２の内側に送風手段２１を設け、送風手段２１のファンモータ３１を作動することで、筒部１６内に吸気穴１３側から送出穴１５側へ向けた空気の流れを形成する。薬剤貯留部４１の薬剤２を噴霧手段４４に供給し、噴霧手段４４で薬剤２を間欠的に噴霧可能とする。噴霧手段４４で薬剤２が噴霧される筒部１６の部位に木製の揮散手段５１を内嵌し、噴霧手段４４より噴霧された薬剤２を保持しかつ、揮散できるように構成する。揮散手段５１にフィルター６１を設け、フィルター６１を噴霧手段４４の下流側に配置する。【選択図】図１
2015066388.tif 000002
【特許請求の範囲】
【請求項１】
薬剤を気化・噴霧する薬剤揮散装置において、
空気を送風する送風手段の下流側に、薬剤を気化・噴霧する気化・噴霧手段と、該気化・噴霧手段より気化・噴霧した薬剤を保持するとともに保持した薬剤を揮散する揮散手段とを設けたことを特徴とする薬剤揮散装置。
【請求項２】
前記気化・噴霧手段は、前記薬剤を間欠的に気化・噴霧することを特徴とする請求項１記載の薬剤揮散装置。
【請求項３】
前記気化・噴霧手段の下流側に、気化・噴霧した薬剤の直接排出を抑制する為のフィルターを設けたことを特徴とする請求項１又は２記載の薬剤揮散装置。
【請求項４】
前記揮散手段を樹木で構成し、前記薬剤が樹木または樹木の葉から抽出された精油であることを特徴とした請求項１、２又は３記載の薬剤揮散装置。
【請求項５】
前記精油が空気に触れないような非酸化構造を備えたことを特徴とする請求項４記載の薬剤揮散装置。
【発明の詳細な説明】
【技術分野】
【０００１】
本発明は、薬剤を放出する薬剤揮散装置に関する。
【背景技術】
【０００２】
従来、脱臭剤としての薬剤を噴霧するカートリッジ式中和液脱臭機が知られている（例えば、特許文献１参照。）。
【０００３】
このカートリッジ式中和液脱臭機は、スプレーカートリッジ式脱臭液噴霧容器を備えており、噴霧ボタンを任意の間隔で間欠押圧制御することで、中和脱臭液を噴霧するものである。
【０００４】
このカートリッジ式中和液脱臭機は、ファンを備えており、フィルターを通過した空気を排出できるように構成されている。
【先行技術文献】
【特許文献】
【０００５】
【特許文献１】実開昭６２−２７６４９号公報
【発明の概要】
【発明が解決しようとする課題】
【０００６】
しかしながら、このような従来の装置にあっては、スプレーカートリッジ式脱臭液噴霧容器の噴霧ボタンを押圧操作した際に噴霧される薬剤による効果を発揮するが、噴霧停止中は薬剤の効果を得ることができない。
【０００７】
すなわち、芳香剤を噴霧する芳香器として使用する場合、噴霧ボタンを押圧操作時には、芳香効果が得られるが、噴霧停止中は芳香効果が得られず、芳香効果が間欠的になるという問題が生じてしまう。
【０００８】
一方、揮散体に芳香剤を含浸して継続した芳香効果を得ることが考えられるが、この場合、一定の香りが持続するため、その香りに鼻が慣れてしまい、芳香効果が低下するという問題があった。
【０００９】
本発明は、このような従来の課題に鑑みてなされたものであり、放出する薬剤の効果を維持することができる薬剤揮散装置を提供することを目的とするものである。
【課題を解決するための手段】
【００１０】
前記課題を解決するために本発明の請求項１の薬剤揮散装置にあっては、薬剤を気化・噴霧する薬剤揮散装置において、空気を送風する送風手段の下流側に、薬剤を気化・噴霧する気化・噴霧手段と、該気化・噴霧手段より気化・噴霧した薬剤を保持するとともに保持した薬剤を揮散する揮散手段とを設けた。
【００１１】
すなわち、薬剤揮散装置を使用する際には、送風手段の下流側に設けられた気化・噴霧手段より薬剤を気化・噴霧する。
【００１２】
すると、その一部の薬剤は、送風手段による送風によって送出される。このため、前記薬剤による効果は、直接的に得られる。
【００１３】
一方、前記気化・噴霧手段より気化・噴霧された他の薬剤は、揮散手段によって保持されるとともに、保持された薬剤は、当該揮散手段より時間を掛けて揮散され、前記送風手段による送風によって送出される。
【００１４】
また、請求項２の薬剤揮散装置においては、前記気化・噴霧手段は、前記薬剤を間欠的に気化・噴霧する。
【００１５】
すなわち、気化・噴霧手段は、薬剤を間欠的に気化・噴霧する。すると、その一部の薬剤は、送風手段による送風によって送出される。このため、前記薬剤による効果は、直接的に得られる。
【００１６】
一方、前記気化・噴霧手段より気化・噴霧された他の薬剤は、揮散手段によって保持されるとともに、保持された薬剤は、当該揮散手段より時間を掛けて揮散され、前記送風手段による送風によって送出される。
【００１７】
さらに、請求項３の薬剤揮散装置では、前記気化・噴霧手段の下流側に、気化・噴霧した薬剤の直接排出を抑制する為のフィルターを設けた。
【００１８】
すなわち、気化・噴霧手段より気化・噴霧された薬剤は、フィルターを通して送出される。
【００１９】
加えて、請求項４の薬剤揮散装置にあっては、前記揮散手段を樹木で構成し、前記薬剤が樹木または樹木の葉から抽出された精油である。
【００２０】
すなわち、噴霧手段より噴霧される薬剤は、樹木で構成された揮散手段に保持された後、揮散される。
【００２１】
このため、揮散される薬剤に木の香りを付けることができる。また、揮散性の高い成分を供給できるので、いつまでも樹木の自然の香りを付与することができる。
【００２２】
また、請求項５の薬剤揮散装置においては、前記精油が空気に触れないような非酸化構造を備えた。
【００２３】
これにより、精油の酸化が防止される。
【発明の効果】
【００２４】
以上説明したように本発明の請求項１の薬剤揮散装置にあっては、気化・噴霧手段より薬剤が気化・噴霧された際には、薬剤による効果が直接得られるので、比較的強い薬剤効果を得ることができる。
【００２５】
また、薬剤揮散装置から薬剤が気化・噴霧されない気化・噴霧停止時には、揮散手段に保持された薬剤がゆっくりと揮散され送出される。このため、気化・噴霧停止時には、比較的弱い薬剤効果が得られる。
【００２６】
このように、気化・噴霧停止時も薬剤による効果を得つつ、薬剤気化・噴霧時には、比較的強い薬剤効果を得ることができ、薬剤効果に強弱を持たせることができる。
【００２７】
このため、薬剤として芳香剤を使用した場合であっても、芳香剤を単純に揮散体から揮散させる場合のように、一定の香りが持続するため、その香りに鼻がなれてしまいうといった不具合を解消することができる。
【００２８】
また、請求項２の薬剤揮散装置においては、前記気化・噴霧手段は、前記薬剤を間欠的に気化・噴霧する。
【００２９】
このため、前述した作用効果をより効果的に奏することができる。
【００３０】
さらに、請求項３の薬剤揮散装置では、前記気化・噴霧手段の下流側に、気化・噴霧した薬剤の直接排出を抑制する為のフィルターを設けたので、気化・噴霧した薬剤が直接送出されることを防止することができる。
【００３１】
これにより、薬剤が壁面に付着する等の不具合を確実に解消することができる。
【００３２】
加えて、請求項４の薬剤揮散装置にあっては、気化・噴霧される薬剤を、樹木で構成された揮散手段に保持した後、揮散することで、揮散される薬剤に木の香りを移すことができる。
【００３３】
また、揮散性の高い成分を供給できるので、いつまでも樹木の自然の香りを付与することができる。
【００３４】
また、請求項５の薬剤揮散装置においては、前記精油が空気に触れないような非酸化構造を備えているため、精油の酸化を防止することができる。
【００３５】
これにより、樹木の自然の香りを長期にわたって維持することができる。
【図面の簡単な説明】
【００３６】
【図１】本発明の第一の実施の形態を示す図である。
【図２】同実施の形態のブロック図である。
【図３】同実施の形態の動作を示すフローチャートである。
【図４】同実施の形態の効果を示す説明図である。
【図５】本発明の第二の実施の形態を示す図である。
【図６】同形態の接続部分を示す図である。
【発明を実施するための形態】
【００３７】
（第一の実施の形態）
【００３８】
以下、本発明の第一の実施の形態を図に従って説明する。
【００３９】
図１は、本実施の形態にかかる薬剤揮散装置１を示す図であり、該薬剤揮散装置１は、薬剤２を噴霧する装置である。なお、本実施の形態では、薬剤２として芳香剤を用いる場合を例に挙げて説明し、この芳香剤としては、樹木または樹木の葉から抽出された精油が用いられている。
【００４０】
この薬剤揮散装置１は透明で直方体形状のケーシング１１を備えており、該ケーシング１１の図１中左側に位置する後面１２には、図２にも示すように、円形の吸気穴１３が設けられている。また、前記ケーシング１１の図１中右側に位置する前面１４には、円形の送出穴１５が設けられており、前記吸気穴１３と前記送出穴１５との間には、透明で円筒状の筒部１６が設けられている。
【００４１】
前記後面１２の内側には、送風手段２１が設けられており、該送風手段２１は、透明で薄肉箱状のボックス２２を備えている。該ボックス２２には、貫通穴２３が開設されており、当該貫通穴２３には、前記筒部１６が貫通している。該筒部１６には、前記ボックス２２に連通するスリットが設けられており（図示省略）、該スリットは、前記送出穴１５側へ向けて開口している。
【００４２】
前記ボックス２２の四隅には、ファンモータ３１，・・・が設けられており、ボックス２２の四隅に設けられた吸気孔３２，・・・より当該ボックス２２内に空気を吸入できるように構成されている。これにより、前記各ファンモータ３１，・・・を作動することで、前記ボックス２２内を加圧するとともに、加圧された空気を前記スリットから送出することで、前記筒部１６内に前記吸気穴１３側から前記送出穴１５側へ向けた空気の流れを形成できるように構成されている。
【００４３】
前記ケーシング１１内には、前記薬剤２を収容する有底筒状の薬剤貯留部４１が設けられており、該薬剤貯留部４１は、上面開口部を閉鎖する蓋体４２を備えている。該薬剤貯留部４１の底部からはパイプ４３が延出しており、該パイプ４３は、気化・噴霧手段としての噴霧手段４４に接続されている。これにより、前記薬剤貯留部４１内の薬剤２を前記噴霧手段４４に供給できるように構成されている。
【００４４】
前記噴霧手段４４は、特に限定されないが、例えば特許第４１４４７０４号や特許第４４３１２６８号や特許第４３７８１９０号に示された電磁ソレノイドや液体噴出装置が利用でき、供給された薬剤２を間欠的に前記筒部１６内へ向けて下向きに噴霧するように構成されている。また、この気化・噴霧手段としては、薬剤２を気化する気化手段も利用することができる。前記噴霧手段４４は、図２にも示したように、前記送風手段２１の下流に設けられており、前記噴霧した薬剤２を前記送風手段２１からの気流に乗せて前記送出穴１５側から外部へ送出できるように構成されている。
【００４５】
前記噴霧手段４４で前記薬剤２が噴霧される前記筒部１６の部位には、図１にも示したように、揮散手段５１が内嵌しており、該揮散手段５１は、前記送風手段２１の下流に設けられている。この揮散手段５１は、一部が欠損した円筒状に形成されており、欠損部５２が上方を向くようにセットされている。これにより、前記噴霧手段４４から噴霧された薬剤２は、前記欠損部５２から前記揮散手段５１内に噴霧されるように構成されている。
【００４６】
この揮散手段５１は、間伐材（樹木）で形成されており、前記噴霧手段４４より噴霧された薬剤２を保持できるように構成されている。また、この揮散手段５１は、保持した薬剤２を揮散できるように構成されている。
【００４７】
そして、前記揮散手段５１には、三次元網目状のフィルター６１が収容されている。該フィルター６１は、前記噴霧手段４４の下流側に配置されており、噴霧した薬剤２の直接排出を抑制できるように構成されている。
【００４８】
図２は、当該薬剤揮散装置１のブロック図であり、当該薬剤揮散装置１は、制御基板上に設けられた制御部７１を備えている。該制御部７１には、前記ファンモータ３１，・・・が接続されており、当該制御部７１からの制御信号に従って前記各ファンモータ３１，３２を駆動するように構成されている。
【００４９】
また、前記制御部７１には、前記噴霧手段４４が接続されており、当該制御部７１からの制御信号に従って前記薬剤２を噴霧できるように構成されている。そして、前記制御部７１には、切替スイッチ８１が接続されており、該切替スイッチ８１によって前記噴霧手段４４からの薬剤噴霧間隔を設定できるように構成されている。
【００５０】
図３は、当該薬剤揮散装置１の動作を示すフローチャートであり、前記制御部７１に設けられたマイコンがＲＯＭに記憶されたプログラムに従って動作することにより、当該薬剤揮散装置１の動作を実現できるように構成されている。
【００５１】
すなわち、当該薬剤揮散装置１の電源がオンされ前記プログラムに従って動作を開始すると、前記制御部７１はファンモータ３１，・・・に制御信号を出力してファンモータ３１，・・・を回転するとともに（Ｓ１）、前記噴霧手段４４に対して制御信号を出力して薬剤の所定時間の噴霧を行った後（Ｓ２）、内臓したタイマーによるカウントを開始する（Ｓ３）。
【００５２】
次に、前記切替スイッチ８１の状態から設定時間を入力し、何分おきに薬剤２の噴霧を行うかを入力した後（Ｓ４）、設定時間が経過するまで設定時間の入力（Ｓ４）を繰り返す（Ｓ５）。これにより、作動中に前記切替スイッチ８１の入力により設定時間が変更された場合でも、これに対応できるように構成されている。
【００５３】
そして、設定時間経過した際には、前記噴霧手段４４に制御信号を送り該噴霧手段４４より薬剤２を所定時間噴霧し（Ｓ６）、タイマを「０」にリセットして前記ステップＳ３へ移行する。
【００５４】
以上の構成にかかる本実施において、この薬剤揮散装置１を使用する際には、切替スイッチ８１で薬剤噴霧間隔を設定して電源を投入すると、ファンモータ３１，・・・が駆動され送風手段２１による送風が開始されるとともに、その下流側に設けられた噴霧手段４４より薬剤２が所定時間毎に間欠的に噴霧される。
【００５５】
すると、噴霧された一部の薬剤２は、前記送風手段２１による送風によって送出される。このため、前記薬剤２による芳香効果は、直接的に得られる。
【００５６】
一方、前記噴霧手段４４より噴霧された他の薬剤２は、樹木で形成された揮散手段５１によって保持されるとともに、保持された薬剤２は、当該揮散手段５１より時間を掛けて揮散され、前記送風手段２１による送風によって送出される。
【００５７】
このように、前記噴霧手段４４より薬剤２が噴霧された際には、薬剤２による効果が直接得られるので、比較的強い薬剤効果を得ることができる。
【００５８】
また、前記噴霧装置４４から薬剤２が噴霧されない噴霧停止時には、前記揮散手段５１に保持された薬剤２がゆっくりと揮散され送出される。このため、噴霧停止時には、比較的弱い薬剤効果が得られる。
【００５９】
このように、本実施の形態の薬剤揮散装置１では、図４中符号１０１に示すように、噴霧停止時も薬剤２による効果を得つつ、薬剤噴霧時には、比較的強い薬剤効果を得ることができ、薬剤効果に強弱を持たせることができる。
【００６０】
このため、図４中符号１０２に示すように、薬剤噴霧時のみに薬剤２による芳香効果が得られる場合のように、噴霧停止中は芳香効果が得られないという問題を解消することができる。
【００６１】
また、図４中符号１０３で示すように、芳香剤を単純に揮散体から揮散させる場合のように、一定の香りが持続し、その香りに鼻がなれてしまいうといった不具合も解消することができる。
【００６２】
また、本実施の形態においては、前記噴霧手段４４の下流側に、噴霧した薬剤２の直接排出を抑制する為の三次元網目状のフィルター６１が設けられているので、噴霧した薬剤２が直接送出されることを防止することができる。
【００６３】
これにより、薬剤２が壁面に付着する等の不具合を確実に解消することができる。
【００６４】
さらに、本実施の形態では、前記噴霧手段４４より噴霧される薬剤２を、樹木で構成された揮散手段５１に保持した後に揮散することができる。
【００６５】
これにより、揮散される薬剤２に木の香りを移すことができる。
【００６６】
また、薬剤２として樹木または樹木の葉から抽出された精油を用いたので、揮散性の高い成分を供給できる。このため、いつまでも樹木の自然の香りを付与することができる。
【００６７】
なお、本実施の形態では、図1に示した構造の薬剤揮散装置を例に挙げて説明したが、これに限定されるものではない。
【００６８】
（第二の実施の形態）
【００６９】
図５及び図６は、第二の実施の形態を示す図であり、第一の実施の形態と異なる部分についてのみ説明する。
【００７０】
この薬剤揮散装置２０１は、無色透明の円筒部２０２を備えており、該円筒部２０２の基端には、当該円筒部２０２内に空気を送り込む送風手段としてのファン２０３が設けられている。前記円筒部２０２の先端側には、断面円弧状の揮散手段２０４が設けられており、該揮散手段２０４は、間伐材（樹木）によって形成されている。これにより、後述する噴霧手段２２３より噴霧された薬剤２０５を保持するとともに、保持した薬剤を揮散できるように構成されている。
【００７１】
この揮散手段２０４の先端側には、三次元網目状のフィルター２１１が収容されており、後述する噴霧手段２２３より噴霧された薬剤２０５の直接排出を抑制できるように構成されている。
【００７２】
前記円筒部２０２の側部には、薬剤供給部２２１が設けられており、該薬剤供給部２２１は、無色透明で矩形状のケーシング２２２を備えている。該ケーシング２２２内には、気化・噴霧手段としての噴霧手段２２３が設けられており、該噴霧手段２２３は、特に限定されないが、例えば特許第４１４４７０４号や特許第４４３１２６８号や特許第４３７８１９０号に示された電磁ソレノイドや液体噴出装置で構成することができる。
【００７３】
この噴霧手段２２３は、供給された薬剤２０５を間欠的に前記円筒部２０２内へ向けて横向きに噴霧するように構成されており、前記ファン２０３と前記フィルター２１１の間であって前記揮散手段２０４上に薬剤２０５を噴霧できるように構成されている。これにより、前記噴霧した薬剤２０５を前記ファン２０３からの気流に乗せて外部へ送出できるように構成されている。
【００７４】
前記噴霧手段２２３からは、パイプ２３１が延出しており、該パイプ２３１は、前記ケーシング２２２内に交換可能にセットされたパウチ２３２に接続されるように構成され、当該パウチ２３２から薬剤２０５の供給を受けられるように構成されている。このパウチ２３２には薬剤２０５が充填されており、当該薬剤２０５に空気が触れないように構成されている。
【００７５】
この薬剤２０５としては、樹木または樹木の葉から抽出された精油が用いられているが、これに限定されるものではない。
【００７６】
図６は、前記パウチ２３２との接続部分を示す図であり、その接続部分の一方は、前記パイプ２３１が構成している。このパイプ２３１の先端側には、リング溝２４１が設けられており、該リング溝２４１には、Ｏリング２４２が装着されている。前記リング溝２４１の先端側には、中径部２４３が設けられており、該中径部２４３には、当該パイプ２３１内に連通する連通穴２４４，・・・が開設されている。
【００７７】
前記中径部２４３の先端側には、小径部２５１が形成されており、該小径部２５１には、括れ部２５２が形成されている。
【００７８】
前記パウチ２３２には、前記パイプ２３１と接続されるコネクタ２６１が設けられている。該コネクタ２６１は、前記パウチ２３２に固定され貫通孔２６２を有したボス部２６３と、該ボス部２６３に係合して前記貫通孔２６２を閉鎖する蓋部２６４とを備えており、該蓋部２６４は弾性変形する連設部２６５，２６５を介して前記ボス部２６３に連結されている。
【００７９】
前記蓋部２６４の基端には、蓋側環状部２７１が一体形成されており、該蓋側環状部２７１には、蓋側フック部２７２が形成されている。この蓋側フック部２７２は、当該蓋部２６４で前記貫通孔２６２を閉鎖した状態で、前記貫通孔２６２の延長上に設けられたボス側環状部２７３に内嵌するように構成されており、この内嵌状態で、前記ボス側環状部２７３の先端部に設けられたボス側フック部２７４が前記蓋側環状部２７１と係合するように構成されている。
【００８０】
また、図６の（ａ）から（ｂ）に示すように、前記パイプ２３１を前記貫通孔２６２に挿入し、前記小径部２５１を前記蓋部２６４に挿入した状態で、前記パイプ２３１のＯリング２４２が前記貫通孔２６２の内側面に密着するように構成されており、空気の進入を防止するとともに、薬剤２０５が漏れないように構成されている。この小径部２５１は、前記蓋部２６４に内嵌するように構成されており、さらに前記パイプ２３１の先端部を前記パウチ２３２内に挿入することで、前記中径部２４３が前記パウチ２３２内に位置し、前記パイプ２３１とパウチ２３２内とが前記連通穴２４４，・・・を介して連通するように構成されている。
【００８１】
これにより、パウチ２６２内の薬剤２０５が空気に触れることなく、前記パイプ２３１を介して前記噴霧手段２２３に供給されるように構成されており、薬剤２０５すなわち前記精油が空気に触れないような非酸化構造が構成されている。
【００８２】
そして、図６の（ｂ）から（ｃ）に示したように、前記コネクタ２６１から前記パイプ２３１を引き抜くと、前記蓋部２６４に設けられた前記蓋側フック部２７２が、前記ボス側環状部２７３に内嵌するように構成されているとともに、この内嵌状態で前記ボス側環状部２７３の先端部に設けられたボス側フック部２７３が前記蓋側環状部２７１と係合するように構成されており、前記蓋部２６４で前記貫通穴２６２を閉鎖できるように構成されている。
【００８３】
以上の構成にかかる本実施において、ファン２０３による送風を開始するとともに、その下流側に設けられた噴霧手段２２３より薬剤２０５を所定時間毎に間欠的に噴霧する。
【００８４】
すると、噴霧された一部の薬剤２０５は、前記ファン２０３による送風によって送出される。このため、前記薬剤２０５による芳香効果は、直接的に得られる。
【００８５】
一方、前記噴霧手段２２３より噴霧された他の薬剤２０５は、樹木で形成された揮散手段２０４によって保持されるとともに、保持された薬剤２０５は、当該揮散手段２０４より時間を掛けて揮散され、前記ファン２０３による送風によって送出される。
【００８６】
このように、前記噴霧手段２２３より薬剤２０５が噴霧された際には、薬剤２０５による効果が直接得られるので、比較的強い薬剤効果を得ることができる。
【００８７】
また、前記噴霧装置２２３から薬剤２０５が噴霧されない噴霧停止時には、前記揮散手段２０４に保持された薬剤２０５がゆっくりと揮散され送出される。このため、噴霧停止時には、比較的弱い薬剤効果が得られる。
【００８８】
このように、本実施の形態の薬剤揮散装置２０１でも、図４中符号１０１に示すように、噴霧停止時であっても薬剤２０５による効果を得つつ、薬剤噴霧時には、比較的強い薬剤効果を得ることができ、薬剤効果に強弱を持たせることができる。
【００８９】
このため、図４中符号１０２に示すように、薬剤噴霧時のみに薬剤２０５による芳香効果が得られる場合のように、噴霧停止中は芳香効果が得られないという問題を解消することができる。
【００９０】
また、図４中符号１０３で示すように、芳香剤を単純に揮散体から揮散させる場合のように、一定の香りが持続し、その香りに鼻がなれてしまいうといった不具合も解消することができる。
【００９１】
また、本実施の形態においては、前記噴霧手段２２３の下流側に、噴霧した薬剤２０５の直接排出を抑制する為の三次元網目状のフィルター２１１が設けられているので、噴霧した薬剤２０５が直接送出されることを防止することができる。
【００９２】
これにより、薬剤２０５が壁面に付着する等の不具合を確実に解消することができる。
【００９３】
さらに、本実施の形態では、前記噴霧手段２２３より噴霧される薬剤２０５を、樹木で構成された揮散手段２０４に保持した後に揮散することができる。
【００９４】
これにより、揮散される薬剤２０４に木の香りを移すことができる。
【００９５】
さらに、本実施の形態では、前記噴霧手段２２３より噴霧される薬剤２０５を、樹木で構成された揮散手段２０４に保持した後に揮散することができる。
【００９６】
これにより、揮散される薬剤２０５に木の香りを移すことができる。
【００９７】
また、薬剤２０５として樹木または樹木の葉から抽出された精油を用いたので、揮散性の高い成分を供給できる。このため、いつまでも樹木の自然の香りを付与することができる。
【００９８】
そして、本実施の形態では、前記薬剤２０５すなわち精油が空気に触れないような非酸化構造を備えているため、前記精油の酸化を防止することができる。
【００９９】
これにより、樹木の自然の香りを長期にわたって維持することができる。
【符号の説明】
【０１００】
１    薬剤揮散装置
２    薬剤
２１    送風手段
４４    噴霧手段
５１    揮散手段
６１    フィルター
７１    制御部
２０１    薬剤揮散装置
２０３    ファン
２０４    揮散手段
２０５    薬剤
２２３    噴霧手段
２６１    コネクタ
【図１】
2015066388.tif 000003
【図２】
2015066388.tif 000004
【図３】
2015066388.tif 000005
【図４】
2015066388.tif 000006
【図５】
2015066388.tif 000007
【図６】
2015066388.tif 000008